(57)【要約】【課題】製造工程で仕掛品を貯蔵することがなく、また廃棄する端材を減らすことができる集成材の製造方法を提供する。【解決手段】単板１を裁断して製品長さのラミナ２を複数形成し、これらラミナ２の被接着面に接着剤５を塗布した後にラミナ２を重ね合わせ、その重ね合わせ方向に圧締することで、集成材１０を得る。ラミナ２の少なくとも１つに、単板１の裁断により生じた端材３を縦継ぎして製品長さに形成したラミナ２を用いることで、端材３を利用することができ、廃棄する端材３を減らすことができる。【選択図】図１
2005238555.tif 000002
【特許請求の範囲】
【請求項１】
単板を裁断して製品長さのラミナを複数形成し、これらラミナの被接着面に接着剤を塗布した後にラミナを重ね合わせ、その重ね合わせ方向に圧締することを特徴とする集成材の製造方法。
【請求項２】
前記ラミナの少なくとも１つに、単板の裁断により生じた端材を縦継ぎして製品長さに形成したラミナを用いることを特徴とする請求項１に記載の集成材の製造方法。
【請求項３】
前記端材を縦継ぎしたラミナの被接着面を研磨することを特徴とする請求項２に記載の集成材の製造方法。
【請求項４】
単板の裁断により生じた端材を縦継ぎして形成した単板を製品長さに裁断してラミナを形成することを特徴とする請求項２または３に記載の集成材の製造方法。
【請求項５】
前記端材を縦継ぎした単板の被接着面を研磨することを特徴とする請求項４に記載の集成材の製造方法。
【請求項６】
前記接着剤として主剤と硬化剤とからなるハネムーン接着剤を用い、主剤を前記ラミナの対向する被接着面の一方の面に、硬化剤を他方の面にそれぞれ塗布することを特徴とする請求項１〜５のいずれか一項に記載の集成材の製造方法。
【発明の詳細な説明】
【技術分野】
【０００１】
本発明は、集成材の製造方法に関する。
【背景技術】
【０００２】
集成材の製造方法としては、図３に示すように、アカマツ、カラマツ、モミ、エゾマツ、その他の材木からなる単板２１を表面研磨してラミナ２２を形成し、ラミナ２２に接着剤を塗布し、接着剤２５を塗布したラミナ２２同士を重ね合わせて圧締するものが一般的である。圧締したラミナ２２は養生後、仕掛品２０として保管しておき、需要に応じて注文の長さに裁断して完成品３０を出荷する。
【０００３】
ラミナ同士を接着する接着剤としては、ユリア樹脂系接着剤、フェノール系接着剤、ハネムーン接着剤、その他木質材料接着用に用いられる接着剤などがある。
【０００４】
ここで、ハネムーン接着剤とは、主剤と硬化剤とからなり、両者が接触することで急激にゲル化または硬化するものである。ハネムーン接着剤を用いてラミナ同士を接着するには、接着するラミナの対向する被接着面の一方の面に主剤を、他方の面に硬化剤を、それぞれ塗布し、塗布面同士を重ね合わせる。塗布面同士を重ね合わせるまでは接着剤が硬化することがなく、重ね合わせた後はラミナ同士を直ちに接着することができる。
【０００５】
ハネムーン接着剤としては、例えば、主剤をイミド樹脂、硬化剤をグリオキザールとするものがある。また、主剤をアセトアセチル基を有する高分子化合物とし、硬化剤をアルデヒド化合物、ポリエチレンイミン、またはヒドラジン化合物とするもの等がある（特許文献１参照）。
【特許文献１】特開２０００−３１７９１８号公報
【発明の開示】
【発明が解決しようとする課題】
【０００６】
従来の集成材の製造方法では、図３に示すように、あらかじめ大量生産した長尺の仕掛品２０を貯蔵しておき、需要がある場合に仕掛品２０を所定の大きさに裁断して完成品３０を出荷するため、仕掛品２０の貯蔵費用がかさんでいた。また、切り落とされた仕掛品２０の端材２３は再利用が困難なため、廃棄物となっており、廃棄費用がかさんでいた。
【０００７】
本発明の課題は、製造工程で仕掛品を貯蔵することがなく、また廃棄する端材を減らすことができる集成材の製造方法を提供することである。
【課題を解決するための手段】
【０００８】
以上の課題を解決するため、請求項１に記載の発明は、図１に示すように、集成材の製造方法であって、単板１を裁断して製品長さのラミナ２を複数形成し、これらラミナ２の被接着面に接着剤５を塗布した後にラミナ２を重ね合わせ、その重ね合わせ方向に圧締することを特徴とする。
【０００９】
ここで、製品長さとは、注文された集成材１０の長さである。請求項１に記載の発明によれば、単板１を裁断して製品長さのラミナ２を複数形成し、これらラミナ２の被接着面に接着剤５を塗布した後にラミナ２を重ね合わせ、その重ね合わせ方向に圧締することで集成材１０を製造するため、長尺の仕掛品を貯蔵することがない。また、仕掛品の端材が出ないため、単板１を有効に利用して廃棄する端材を減らすことができる。
【００１０】
請求項２に記載の発明は、請求項１に記載の集成材の製造方法において、前記ラミナ２の少なくとも１つに、単板１の裁断により生じた端材３を縦継ぎして製品長さに形成したラミナ２を用いることを特徴とする
【００１１】
請求項２に記載の発明によれば、ラミナ２の少なくとも１つに、単板１の裁断により生じた端材３を縦継ぎして製品長さに形成したラミナ２を用いるため、廃棄する端材３を減らすことができる。
【００１２】
請求項３に記載の発明は、請求項２に記載の集成材の製造方法において、前記端材３を縦継ぎしたラミナ２の被接着面を研磨することを特徴とする。
【００１３】
請求項３に記載の発明によれば、端材３を縦継ぎして製品長さに形成したラミナ２の被接着面を研磨することで、接着しやすくするとともに、端材３の厚さの誤差を修正することができる。
【００１４】
請求項４に記載の発明は、請求項２または３に記載の集成材の製造方法において、単板１の裁断により生じた端材３を縦継ぎして形成した単板（板材４）を製品長さに裁断してラミナ２を形成することを特徴とする。
【００１５】
請求項４に記載の発明によれば、単板１の裁断により生じた端材３を縦継ぎして形成した単板（板材４）を製品長さに裁断してラミナ２を形成するため、端材３をより有効に利用することができる。
【００１６】
請求項５に記載の発明は、請求項４に記載の集成材の製造方法において、前記端材３を縦継ぎした単板（板材４）の被接着面を研磨することを特徴とする。
【００１７】
請求項５に記載の発明によれば、端材３を縦継ぎして製品長さに形成した単板（板材４）の被接着面を研磨することで、接着しやすくするとともに、端材３の厚さの誤差を修正することができる。
【００１８】
請求項６に記載の発明は、請求項１〜５のいずれか一項に記載の集成材の製造方法において、前記接着剤５として主剤と硬化剤とからなるハネムーン接着剤を用い、主剤を前記ラミナ２の対向する被接着面の一方の面に、硬化剤を他方の面にそれぞれ塗布することを特徴とする。
【００１９】
請求項６に記載の発明によれば、接着剤５として主剤と硬化剤とからなるハネムーン接着剤を用い、主剤を前記ラミナ２の対向する被接着面の一方の面に、硬化剤を他方の面にそれぞれ塗布するため、塗布面同士を重ね合わせるまでは接着剤５が硬化することがない。また、重ね合わせた後はラミナ２同士を直ちに接着することができるため、製造期間を短くして納期を短縮することができる。
【発明の効果】
【００２０】
本発明によれば、単板を製品長さに裁断して複数のラミナを形成してから、これらラミナを重ね合わせて接着し、圧締するため、長尺の仕掛品を貯蔵することがない。また、単板の裁断により生じた端材を縦継ぎしてラミナや単板として用いることができるため、廃棄する端材を減らすことができる。
【００２１】
また、端材を縦継ぎしたラミナまたは単板の表面を研磨することで、端材の厚さの誤差を修正することができる。
【００２２】
さらに、ラミナを接着する接着剤としてハネムーン接着剤を用いることで、接着作業を容易にするとともに、製造期間を短くして納期を短縮することができる。
【発明を実施するための最良の形態】
【００２３】
以下、本発明の実施の形態について詳細に説明する。図１は本発明の第１の形態として、単板１から集成材１０を製造する方法を示す概略図である。
集成材１０の材料となる単板１としては、アカマツ、カラマツ、モミ、エゾマツ、その他の材木を用いることができる。
【００２４】
本発明の集成材の製造方法では、注文を受けてから製造を開始する。まず、表面が荒いと接着しにくいため、単板１の表面を研磨して滑らかにする。
単板１の表面を研磨したら、製品長さに単板１を裁断し、集成材１０を構成するラミナ２を形成する。
【００２５】
単板１を裁断する際に、製品長さに足りない端材３が生じる。この端材３を集め、複数枚の端材３を縦継ぎし、板材４を形成する。縦継ぎの方法としては、パットジョイント、スカーフジョイント、フィンガージョイント等の方法があるが、その他の任意の方法も用いることができる。
【００２６】
端材３を縦継ぎして形成した板材４は、ラミナ２として利用することができる。また、板材４を単板１として再利用してもよい。単板１として再生する板材４は、製品長さに裁断してラミナ２を形成してもよいし、また次回注文時まで貯蔵しておいてもよい。
【００２７】
ラミナ２を形成したら、ラミナ２に接着剤５を塗布する。接着剤５としては、ユリア樹脂系接着剤、フェノール系接着剤、ハネムーン接着剤、その他木質材料接着用に用いられる接着剤などを用いることができるが、ハネムーン接着剤を用いることが好ましい。
【００２８】
ハネムーン接着剤としては、主剤をイミド樹脂、硬化剤をグリオキザールとするもの、主剤をアセトアセチル基を有する高分子化合物とし、硬化剤をアルデヒド化合物、ポリエチレンイミン、またはヒドラジン化合物とするもの等があるが、主剤と硬化剤とが接触することで急激にゲル化または硬化するものであれば、任意のものを使用することができる。
【００２９】
接着剤５としてハネムーン接着剤を用いる場合には、ラミナ２の対向する被接着面の一方の面に主剤を、他方の面に硬化剤を塗布する。例えばラミナ２を上下に重ね合わせる場合には、ラミナ２の上面に主剤（硬化剤）を、下面に硬化剤（主剤）を塗布する。なお集成材１０の一番上に位置するラミナ２の上面、及び一番下に位置するラミナ２の下面には、いずれも塗布しない。
【００３０】
次いで、ラミナ２同士の水平位置を一致させて重ね合わせ、ラミナ２をその重ね合わせ方向に押圧し、圧締する。このとき、製造される集成材１０の１本分のラミナ２を圧締してもよいし、複数本分のラミナ２を重ねて圧締してもよい。
【００３１】
ハネムーン接着剤を用いた場合には、ラミナ２は３分程度の短い圧締時間で接着される。圧締が完了したら、端部をそろえたり、再度表面研磨を行ったりして集成材１０を仕上げる。このようにして製造された集成材１０は、不良品の検査等を行った後に、出荷される。
【００３２】
以上の集成材の製造方法によれば、単板１を裁断する際に生じる端材３を縦継ぎしてラミナ２または単板１として利用するため、廃棄する端材３を減らすとともに、使用する単板１を減らすことができ、製造コストを下げることができる。
【００３３】
図２は本発明の第２の実施の形態を示す概略図である。第１の実施の形態では単板１の裁断を行う前に、単板１の表面研磨を行っていたが、本実施の形態では、ラミナ２に接着剤５を塗布する直前に、ラミナ２の表面研磨を行っている。単板１を裁断した端材３を縦継ぎして板材４とし、ラミナ２として利用する点は同様である。
【００３４】
複数の端材３を縦継ぎして１枚のラミナ２を形成する場合には、端材３がそれぞれ異なる単板１に由来するため、厚さに誤差があるが、接着剤５を塗布する直前に表面研磨を行うことで、誤差を修正することができる。
なお、第１の実施の形態と同様に、複数の端材３を縦継ぎした板材４を単板として再利用してもよい。
【００３５】
以上の実施の形態においては、圧締後、ただちに仕上げをして検査・出荷していたが、接着剤５の種類や気温・湿度によっては、圧締後、養生してもよい。また、ラミナ２を上下方向に重ねて圧締する代わりに、水平方向に圧締してもよい。その他の工程についても適宜変更可能であることはもちろんである。
【図面の簡単な説明】
【００３６】
【図１】本発明の集成材の製造方法を示す概略図である。
【図２】本発明の集成材の製造方法を示す概略図である。
【図３】従来の集成材の製造方法を示す概略図である。
【符号の説明】
【００３７】
１、２１      単板
２、２２      ラミナ
３、２３      端材
４     板材
５     接着剤
１０   集成材
【図１】
2005238555.tif 000003
【図２】
2005238555.tif 000004
【図３】
2005238555.tif 000005